(57)【要約】  本発明は、保護カバーを形成する第１の窓ガラス型基板（１）と、支持体プレートを形成する第２の基板（１′）とを備える光捕捉要素に関し、上記基板は、電極を形成する２つの伝導性層の間に、光を電気エネルギーにエネルギー変換することを可能にする吸収体材料を主成分とした少なくとも１つの機能層（７）を含む。本発明は、第２の基板（１′）が、伝導性層の領域内に配置されている少なくとも１つの開口部を備えており、および、この開口部の内側において圧力要素（１９）が延びており、および、上記圧力要素は、基板（１′）に固定されている電気接続装置（９）内に配置されている空洞の中に収容されている。
2011501425.tif 000002
【特許請求の範囲】
【請求項１】
光を収集することが可能な要素であって、ガラス機能を有しかつカバーを形成する第１の基板（１）と、支持プレートを形成する第２の基板（１′）とを備え、かつ、前記基板は、２つの電極形成伝導性層（２、６）の間に、光エネルギーを電気エネルギーに変換するための吸収体材料を主成分とする少なくとも１つの機能層（７）をサンドイッチする要素において、前記第２の基板（１′）は、前記伝導性層（２、６）のレベルにおいて開く少なくとも１つのオリフィスを備えており、かつ、前記オリフィスの中を押圧部材（１９）が通過し、前記押圧部材は、前記基板（１′）に固定されている電気接続装置（９）内に作られている空洞の中に保持されており、および、前記電気接続装置は箱の形に作られていることを特徴とする光を収集することが可能な要素。
【請求項２】
前記押圧部材（１９）は、前記伝導性層（２、６）の表面部分に取り付けられている伝導性材料のストリップ（１６）と接触していることを特徴とする請求項１に記載の光を収集することが可能な要素。
【請求項３】
前記押圧部材（１９）を取り囲む前記空洞（１８）は、前記押圧部材を酸化から保護する流体で満たされていることを特徴とする請求項１または２に記載の光を収集することが可能な要素。
【請求項４】
前記押圧部材（１９）が中に挿入されている前記箱（９）は、各々が区画を形成する２つのレベル、すなわち、前記第２の基板（１′）の表面に接近している下位レベルと、前記第２の基板（１′）とは反対側に位置している上位レベルとを有し、および、これらのレベルは、前記下位レベルとの水密性を破る恐れなしにダイオードと相互作用し合うことが可能であるように水密性の壁によって隔てられていることを特徴とする請求項１に記載の光を収集することが可能な要素。
【請求項５】
前記電気接続装置（９）は、封止障壁を形成する前記押圧部材（１９）の周りの複数の同中心の凹み領域または隆起領域（１２、１３）を備えていることを特徴とする請求項１に記載の光を収集することが可能な要素。
【請求項６】
前記電気接続装置（９）は、一方では、前記押圧部材（１９）との電気的関係にあり、他方では、使用ネットワークおよび／またはバイパスダイオードとの電気的関係にある、複数の電気接続手段を備えることを特徴とする請求項１から５のいずれか一項に記載の光を収集することが可能な要素。
【請求項７】
前記電気接続装置（９）は、乾燥剤を収容するのに適しているリザーバを備え、および、このリザーバは前記空洞（１８）に連結されていることを特徴とする請求項１から６のいずれか一項に記載の光を収集することが可能な要素。
【請求項８】
請求項１から７のいずれか一項に記載の光を収集することが可能な要素のための電気接続装置において、この電気接続装置は箱の形態をとり、および、前記基板（１′）の下面と接触していることが意図されている先記電気接続装置の面が、基板（１、１′）の表面部分上に付着させられている少なくとも１つの電極（２、６）と電気的に接触することが意図されている押圧手段（１９）を受け入れるオリフィス（９）を有することを特徴とする請求項１から７のいずれか一項に記載の光を収集することが可能な要素のための電気接続装置。
【発明の詳細な説明】
【技術分野】
【０００１】
本発明は、光を収集することが可能な要素のための接続箱に加えられた改良に関する。
【背景技術】
【０００２】
光起電力太陽電池タイプの光を収集することが可能な要素が、吸収体作用物（ａｂｓｏｒｂｅｒ  ａｇｅｎｔ）と、お互いに電気的に絶縁された２つの電極とを備えるということが公知である。このアセンブリ全体は２つの基板の間にカプセル化封入されており、この基板の一方は、光がその基板を通過することを可能にするようにガラス機能を有する保護基板を構成し、および、他方の基板は支持物を形成しかつ必ずしも透明である必要はない。電極は、可能な限り低い電気抵抗と、吸収体層に対する、および、適切な場合には、基板に対する良好な付着性とによって、本質的に特徴付けられている。これらの電極は、金属、または、例えばモリブデン、銀、アルミニウム、銅、ドープ酸化亜鉛、または、酸化スズを主成分とした、金属酸化物で作られている場合が最も多い。
【０００３】
吸収体として働くことができる三元黄銅鉱型化合物が、一般的に銅とインジウムとセレニウムとを含む。こうした吸収体作用物（ａｂｓｏｒｂｅｒ  ａｇｅｎｔ）の層はＣＩＳｅ2層と呼ばれている。吸収体作用物層は、さらに、ガリウム（例えば、Ｃｕ（Ｉｎ，Ｇａ）Ｓｅ2またはＣｕＧａＳｅ2）、アルミニウム（例えば、Ｃｕ（Ｉｎ，Ａｌ）Ｓｅ2）、または、イオウ（例えば、ＣｕＩｎ（Ｓｅ，Ｓ））を含むことがある。これらは、一般的に、および、以下において、術語「黄銅鉱型吸収体作用物層」と呼ばれている。
【０００４】
薄膜の形状である別のグループの吸収体作用物が、非晶質または微晶質であってよいシリコンを主成分としているか、または、テルル化カドミウム（ＣｄＴｅ）を主成分としている。さらに、薄膜として付着させられている非晶質または微晶質シリコン系とは違って、５０μｍから２５０μｍの厚さを有する厚膜として付着させられている結晶質シリコンまたはシリコンウェーハを主成分とする別のグループの吸収体作用物が存在する。
【０００５】
様々な技術のこれらの吸収体作用物に関しては、その光起電力（エネルギー変換）効率が、その光学的外観における明確な劣化さえなしにその作用物中に液体または蒸気の形で拡散している水分子による湿気の侵入のせいでに、大きく低減させられるということが公知である。
【０００６】
これが、一方の基板がカバーを形成しかつ他方の基板が支持物を形成する２つの基板の間に、層のすべてと、発生エネルギーを利用するために太陽電池を外部に接続する電気接続部とを一体状に接合することにある、太陽電池をアセンブリする作業が、非常に大きな注意を伴って、特に太陽モジュールが封止されていることを確実なものにする形で行われなければならないことの理由である。特に、このモジュールの封止は、一方では、例えば押出加工技術を使用してシーラントのビーズを付着させることによって、太陽電池の端縁に沿って行われ、および、他方では、電気接続部の通過のためのオリフィスにおいて行われる。
【０００７】
上述したように、黄銅鉱型吸収体作用物の層が湿気の悪影響を受けやすく、および、太陽電池をアセンブリする際にあらゆる湿気の侵入が防止されることを確実なものにすることが必要である。湿気の侵入箇所を形成することがある、太陽電池における影響を受けやすい箇所が、一方では、周縁部のシーラントビーズであり、他方では、電気接続部の通過のために必要とされるオリフィスである。太陽電池製造業者は、化学者と協働して、シーラントのための組成物（または、一方のシーラントが例えば液体水分に対する障壁として働くことが意図されておりかつ他方のシーラントが水蒸気に対する障壁として働くことが意図されているシーラント組合せのための組成物）を開発してきたが、こうした組成物は、太陽電池の周縁部に対するその役割を果たすが、電気接続部のために必要とされるオリフィスに対してはその役割を果たす度合いがより低い。
【０００８】
こうしたオリフィスでは、湿気が多層スタックに向かってワイヤに沿って毛管現象で運ばれる可能性があり、この現象は、電気接続部が一般的にフレキシブルコネクタから成るということの結果として生じる弛みによって一層悪化させられるだろう。
【先行技術文献】
【特許文献】
【０００９】
【特許文献１】欧州特許出願公開第１３５６５２８号明細書
【発明の概要】
【発明が解決しようとする課題】
【００１０】
したがって、本発明の目的が、太陽電池の電気接続部の通過のための入力および出力オリフィスにおいて封止されている接続装置を提供することによって、先行技術の解決策の欠点を軽減することである。
【課題を解決するための手段】
【００１１】
この目的のために、光を収集することが可能な要素であって、保護カバーを形成する第１の基板と、支持プレートを形成する第２の基板とを備え、かつ、上記基板は、２つの電極形成伝導性層の間に、光エネルギーを電気エネルギーに変換するための吸収体材料を主成分とする少なくとも１つの機能層をサンドイッチする要素において、第２の基板は、伝導性層の中に開く少なくとも１つのオリフィスを備えており、かつ、このオリフィスの中を押圧部材が通過し、上記押圧部材は、上記基板に固定されている電気接続装置の中に作られている空洞の中に保持されていることを特徴とする。
【００１２】
本発明の好ましい実施態様では、次の構成の１つまたは複数が、採用随意に使用されてよい。
−  押圧部材は、伝導性層の表面部分に取り付けられている伝導性材料のストリップと接触しており、
−  押圧部材を取り囲む空洞は、押圧部材を酸化から保護する流体で満たされており、
−  電気接続装置は、シーリング障壁を形成する押圧部材の周囲の複数の同中心の凹み領域または隆起領域を備えており、および、
−  電気接続装置は、一方では、押圧部材との電気的関係にあり、他方では、使用ネットワークおよび／またはバイパスダイオードとの電気的関係にある、複数の電気接続手段を備える。
【００１３】
別の側面では、本発明の主題が、さらに、光を収集することが可能な上述の要素と共に使用されることに適している接続装置であり、この接続装置は実質的に平行六面体である箱を備え、基板の下面と接触していることが意図されているこの接続装置の面は、基板の表面部分上に付着させられている少なくとも１つの電極と電気的に接触することが意図されている押圧部材を受けるオリフィスを有する。
【００１４】
本発明の他の特徴と詳細事項と利点とが、添付図面を参照して非限定的な例示として示されている以下の説明を理解することによって、より明確に明らかになるだろう。
【図面の簡単な説明】
【００１５】
【図１ａ】本発明による光を収集することが可能な要素の略図である。
【図１ｂ】本発明による光を収集することが可能な要素の略図である。
【図２】電気接続装置を通して描かれている本発明による要素の断面図である。
【図３】図２に示されている接続装置の斜視図である。
【図４】本発明の別の実施形態による接続装置の斜視図である。
【図５】ダイオードと押圧部材が見てとれる、図４に示されている接続装置の斜視図である。
【図６】ダイオードだけが見てとれる、図４に示されている接続装置の斜視図である。
【発明を実施するための形態】
【００１６】
図１ａは、光を収集することが可能な要素（太陽電池または光起電力電池）を示す。概略的に述べると、カバーを形成する基板１と、支持物を形成する基板１′との二つの基板１及び１′において、少なくとも一方の基板（この場合基板１）が光を通過させるために透明であることが必要である２つの基板１、１′が、多層スタック７をサンドイッチし、この多層スタック７は、電極を形成する導電性の層２、６の間に、光エネルギーを電気エネルギーに変換するための吸収体材料（ａｂｓｏｒｂｅｒ  ａｇｅｎｔ）を主成分とする機能層３を備える。これらのスタックは図２と図３とに示されている。
【００１７】
カバーを形成する基板１は透明であり、および、例えば全体的にガラスで作られていてもよい。この基板１は、ポリウレタン、ポリカーボネート、または、ポリメチルメタクリラートのような熱可塑性ポリマーで作られていてもよい。
【００１８】
ガラス機能を有するこの基板の質量の大部分（すなわち、９８重量％以上）または全部が、実現可能な最良の透明度を有し、かつ、その用途（太陽モジュール）のための有用なスペクトル部分において、すなわち、一般的には３８０ｎｍから１２００ｎｍの範囲内のスペクトルにおいて、０．０１ｍｍ-1未満の線吸収を有することが好ましい、１つまたは複数の材料から成る。
【００１９】
本発明によるカバーを形成する基板１は、例えばＣＩＧＳ、非晶質シリコン、微晶質シリコンのような、様々な技術から生産される光起電力電池のための保護プレートとして使用される時に、０．５ｍｍから１０ｍｍの範囲内の総厚さを有するだろう。この場合には、このプレートがガラスで作られている時に、このプレートに対して（例えば強化タイプの）熱処理を加えることが有利だろう。
【００２０】
支持プレートを形成する基板１′は、必ずしも透明である必要は無く、したがって必ずしもガラス機能を有する必要がないという点で、基板１とは異なる。
【００２１】
電極として働かなければならない第１の伝導性層２は、基板１′の主面の一方の上に付着させられている。黄銅鉱型吸収体作用物を主成分とする機能層３は、この電極２の上に付着させられている。これが例えばＣＩＳ、ＣＩＧＳ、または、ＣＩＧＳｅ2を主成分とする機能層である時には、機能層３と電極２との間の境界面がモリブデンを主成分としていることが好ましい。これらの要件に合致する伝導性層が、特許文献１に説明されている。
【００２２】
黄銅鉱型吸収体作用物の層３は、黄銅鉱型層と共にｐｎ接合を生じさせることを可能にする、硫化カドミウム（ＣｄＳ）、硫化亜鉛（ＺｎＳ）、または、硫化インジウム（ＩＳ）で作られているバッファ層と呼ばれる薄層４で覆われている。これは、黄銅鉱型吸収作用物が一般的にｐドープされており、および、バッファ層、特にＣｄＳで作られているバッファ層がｎドープされているからである。このことが、電流を生じさせるために必要とされるｐｎ接合の形成を可能にする。
【００２３】
例えばＣｄＳで作られているこの薄いバッファ層４は、それ自体として、一般的に非ドープ酸化亜鉛（ＺｎＯ）で作られている付着層５で覆われている。
【００２４】
第２の電極６を形成するために、ＺｎＯ層５が、ＴＣＯ（透明導電酸化物）の層で被覆される。これは、次の材料、すなわち、ドープされた酸化スズ、特に、ホウ素またはアルミニウムでドープされた酸化亜鉛から選択されるだろう。ドープされた酸化亜鉛の場合には、特にアルミニウムでドープされた酸化亜鉛の場合には、ＣＶＤ蒸着の場合に使用可能な前駆物質が亜鉛およびアルミニウムの有機金属またはハロゲン化物であってよい。ＴＣＯ電極、例えばＺｎＯ電極が、金属ターゲットまたはセラミックターゲットを使用するスパッタリングによって溶着させられてもよい。
【００２５】
さらに、この伝導性層は可能な限り透明でなければならず、かつ、太陽モジュールの効率を不必要に低下させないように、機能層を構成する材料の吸収スペクトルに対応する波長すべてにわたって高い光透過率を有さなければならない。
【００２６】
伝導性層２、６の一方または他方が、スクエア当たり３０オーム以下、特に、スクエア当たり２０オーム以下、好ましくはスクエア当たり１０または１５オーム以下のシート抵抗を有する。このシート抵抗は、一般的にスクエア当たり５オームから１２オームである。
【００２７】
薄層のスタック７は、例えばＰＵ、ＰＶＢ、または、ＥＶＡで作られている積層中間層またはカプセル化封入剤を介して、基板１（カバー）と、基板１′（支持物）との間にサンドイッチされている。基板１は、太陽電池のカバーまたは光起電力電池またはモジュールを形成し、および、その後でシーラントまたはシーリング樹脂で周縁部をカプセル化封入されるように、ソーダ−石灰−シリカガラスのようなガラス機能を有するという点で、基板１′とは異なっている。この樹脂の組成の一例と使用方法の一例とが特許文献２に説明されている。
【００２８】
シリコンタイプの吸収体作用物、すなわち、非晶質シリコンまたは微晶質シリコン、または、テルル化カドミウム（ＣｄＴｅ）を主成分とする吸収体作用物が、薄膜の形で使用される場合には、光を収集することが可能な要素の構造が、黄銅鉱型系のために使用される方法とは逆の方法で作られる。この場合に、この構造は、「基板」構造と呼ばれているものとは対照的な「スーパーストレート（ｓｕｐｅｒｓｔｒａｔｅ）」構造と呼ばれる。読者は図３を参照されたい。
【００２９】
本質的な相違点は、薄層のスタックが、基板１（カバー）から開始して構成されるということである。基板１のＢ面（主内面）は、電極として機能しなければならない第１の伝導性層６で被覆されている。非晶質シリコンまたは微晶質シリコンで作られているか、または、テルル化カドミウム（ＣｄＴｅ）で作られている吸収体作用物を主成分とした機能層が、この電極の上に付着させられている。
【００３０】
第１の電極６を形成するために、この層はＴＣＯ（透明導電酸化物）層に基づいている。
【００３１】
これは、次の材料、すなわち、ドープされた酸化スズ、特にホウ素またはアルミニウムでドープされた酸化スズから選択されてよい。ドープされた酸化亜鉛、特にアルミニウムでドープされた酸化亜鉛の場合には、ＣＶＤ蒸着の場合に使用されることが可能な前駆物質が、亜鉛およびアルミニウムの有機金属またはハロゲン化物であってよい。例えばＺｎＯ電極のようなＴＣＯ電極も、金属ターゲットまたはセラミックターゲットを使用するスパッタリングによって溶着させられてもよい。
【００３２】
さらに、この伝導性層は可能な限り透明でなければならず、かつ、太陽モジュールの効率を不必要に低下させないように、機能層を構成する材料の吸収スペクトルに対応する波長すべてにわたって高い光透過率を有さなければならない。
【００３３】
例えばＳｎＯ2：ＦまたはＺｎＯ：Ａｌを主成分としているこのＴＣＯ層６は、採用随意に、追加の比較的に薄い（例えば１００ｎｍ）の非ドープＺｎＯ層５で被覆される。その次に、この薄いＺｎＯ層は、薄膜の形態であるシリコンまたはテルル化カドミウムを主成分とした機能性層３で覆われる。スタック７の残りの部分は、金属材料または金属酸化物で作られている、電極として機能する第２の伝導性層２から成る。従来においては、この伝導性層はＩＴＯ（インジウムスズ酸化物）または金属（銅、アルミニウム）を主成分としている。
【００３４】
伝導性層２、６の一方または他方が、スクエア当たり３０オーム以下、特に、スクエア当たり２０オーム以下、好ましくはスクエア当たり１０または１５オーム以上のシート抵抗を有する。このシート抵抗は、一般的にスクエア当たり５オームから１２オームである。
【００３５】
薄層のスタックは、例えばＰＵ、ＰＶＢ、または、ＥＶＡで作られている積層中間層またはカプセル化封入剤８を介して、２つの基板１（カバー）、１′（支持物）の間にサンドイッチされている。支持物を形成する基板１′は、必ずしもガラスで作られている必要はなくかつ必ずしも透明である必要はないという点で、基板１とは異なっている。この基板１′は支持物として機能し、かつ、シーラントまたはシーリング樹脂によって周縁部を他方の基板１と共にカプセル化封入されている。この樹脂の組成の一例とその使用方法の一例が特許文献２に説明されている。
【００３６】
上述の太陽モジュールは、動作して電気配給ネットワークに電圧を配送するために、電気接続装置備えなければならない。
【００３７】
図２と図３は、電気接続装置９を詳細に示す。この接続装置９は、太陽モジュールの下面に接着接合によってまたは任意の類似の手段（溶接、接着剤）によって固定されている、太陽モジュールの背面上に配置されている。（配給網に適合可能な交流電圧に直流電圧を変換するための電子装置から一般的に成る）ユーザインタフェースに太陽モジュールを電気的に接続するために、太陽モジュール１つ当たり２つ（電極１つ当たり１つ）の接続装置が存在することが好ましい。
【００３８】
この電気接続装置９はユニットまたは箱の形をとり、および、例えばプラスチック射出成形プロセスによって得られる。基板１′の下面と接触していることが意図されているその箱の面が、めくらオリフィス（ｂｌｉｎｄ  ｏｒｉｆｉｃｅ）と、このオリフィスの周りの複数の同中心の凹み領域または隆起領域１１、１２とを有する。
【００３９】
オリフィス９は押圧部材１９を収容し、この押圧部材１９は、一方では、オリフィス９内に収容されている固定部分１３と、この固定部分１３に対して相対的に平行移動することが可能でありかつピストンを形成する可動部分１４とを備え、このアセンブリは、渦巻きばね１５またはその類似物の挿入によって弾性接続部を形成する。固定部分１３と可動部分１４の両方が、例えば銅のような導電性材料で作られている。
【００４０】
そのピストンの頭部は、この頭部と電極形成伝導性層（２、６）との間に位置している領域における接触を改善するために複数の隆起特徴または褶曲を備えている。
【００４１】
ピストン１３の頭部と伝導性層２、６との間の電気接触を最適化するために、伝導性材料（例えばアルミニウム、銅等）で作られているストリップ１６が、この接触領域内に付着させられており、および、このストリップ１６は伝導性層２、６の表面部分に例えば超音波溶接されている。
【００４２】
押圧部材１９の１つの変形例が図５に示されている。この図に見てとれるように、押圧部材は、そのアセンブリに対して弾性を与えるために渦巻きばねの形態に形成されている。
【００４３】
この図５では、プラスチック成形技術または射出成形技術によって得られる、この押圧部材１９が中に挿入されている箱９が、実際には、各々が区画を形成する２つのレベル、すなわち、光起電力モジュールの表面に接近している下位レベルと、光起電力モジュールとは反対側に位置している上位レベルとを有する。これらのレベルは、ストリップ１６と電気的に接触している形で押圧部材が中で保持されている領域である下位レベルとの水密性を破る恐れなしに、図５と図６とに見てとることが可能であるシリンダの形状で示されているダイオードと相互作用し合うことが可能であるように、水密性の壁によって隔てられている。
【００４４】
図６では、ダイオードをカバーする保護カバーなしにその箱が示されており、この保護カバーはその箱の本体に「クリッピング（ｃｌｉｐｐｉｎｇ）」または填め込みによって取り付けられ、および、例えばスクリュードライバのブレードを使用して必要に応じて容易に取り外されることが可能である。
【００４５】
図４では、その箱が、その箱の内側に挿入されている要素のアセンブリを完全にカバーしており、このようにして機械的にかつあらゆる環境的な悪影響からそのアセンブリを保護する。
【００４６】
図５では、押圧部材と、使用ネットワークに接続されなければならない電気ワイヤとの間の電気的接続が、クリンピング（ｃｒｉｍｐｉｎｇ）によって実現されているが、この電気ワイヤを弾性押圧部材に直接的に溶接すること、または、それ自体が弾性押圧部材と電気的に接触している伝導性部分を介して間接的に溶接することは、本発明の範囲外ではないだろう。
【００４７】
複数のシーリング障壁が押圧部材１９の周りに形成されている。特に、エラストマー性Ｏリングシール１７が備えられ、このＯリングシールは、接続装置が取り付けられる時にそのモジュールの背部に対して押しつけられる。接続装置がモジュールの背部上にアセンブリされる時に、押圧部材の周縁部１４とＯリングシール１７の小さい周縁部との間に画定されている環状空間１８が、電気接続の品質にとって有害であり得るあらゆる酸化を防止するように、不活性流体（例えば窒素気体）で満たされることが有利だろう。変形例としては、乾燥剤を収容することが意図されている空洞をその箱内に含んでおり、かつ、環状空間１８にこの空洞が連結されている。
【００４８】
液体および蒸気の両方の形態である水の侵入の結果としての酸化に関連した問題をさらに抑制するか、または、この問題を取り除くために、幾つかのシーラントビーズ（実際には領域１１、１２）がＯリングシールの大きな直径とモジュールの周囲との間に挿入され、製造中に作られるこれらのシーラントビーズは接続装置の一部分であり、および、シケイン（ｃｈｉｃａｎｅ）を形成する。
【００４９】
ハウジング内を弾性的にスライドするピストンを一般的に備える押圧部材の例示的な実施形態が、同一の結果を得ることを意図して同一の機能が行われることを可能にする他の実施形態によって生じさせられてもよい。したがって、例えば、ハウジング内のばね座金のアセンブリ、または、円筒形ハウジング内に横方向に形成されているバヨネット内の協働する突起を備えているシムが、例えば、本発明の範囲から逸脱すること無しに、この押圧部材に対する代替策を構成するだろう。
【００５０】
押圧部材との電気的関係にある第１のコネクタの形態である電気接続手段（例えば電気ワイヤ）が、成形中の接続装置内に含まれる。
【００５１】
第２のコネクタも含まれており、この第２のコネクタはバイパスダイオードに接続されることが意図されている。これは、アセンブリを形成するために光起電力太陽モジュールが他のモジュールと直列に接続されることがあるからである。このモジュールの１つが例えば雲の通過によって覆い隠される場合に、このアセンブリ内で生じさせられる電流の減少と、そのマスクされたモジュール内での逆方向の電流の出現とが、同時に生じる。後者の効果は過剰に多い量の電力消失をもたらし、このことは電力の破壊を結果的に生じさせる可能性がある。したがって、太陽モジュールは、バイパスダイオードを標準的に備えており、このバイパスダイオードの機能は、マスクされた太陽電池を保護すると同時に、アセンブリによって生じさせられる電力を増大させることである。
【図１ａ】
2011501425.tif 000003
【図１ｂ】
2011501425.tif 000004
【図２】
2011501425.tif 000005
【図３】
2011501425.tif 000006
【図４】
2011501425.tif 000007
【図５】
2011501425.tif 000008
【図６】
2011501425.tif 000009
【国際調査報告】
2011501425.tif 000010
2011501425.tif 000011
2011501425.tif 000012
2011501425.tif 000013